(57)【要約】【課題】  運動抵抗の調節が可能で構造が簡単な運動器具を提供する。【解決手段】運動器具（１０）はベース（１４）と、一対の旋回アーム（１６Ａ，１６Ｂ）を介してベース（１４）に回動可能に取り付けられた一対のペダル（１２Ａ，１２Ｂ）と、ベース（１４）に回転可能に連結された回転ブロック（２０）と、各々が旋回アーム（１６Ａ，１６Ｂ）の一方と回転ブロック（２０）との間に連結された一対のコネクタ（１８Ａ，１８Ｂ）と、回転ブロック（２０）の周囲に配置されていて該周囲と接触する摩擦ベルト（２４）とを有する。ペダル（１２Ａ，１２Ｂ）の一方をベース（１４）に向かって動かすと、回転ブロック（２０）が回転するとともに、他のペダルがベース（１４）から離間する。【選択図】      図１
2005279245.tif 000002
【特許請求の範囲】
【請求項１】
ベースと、
一対の旋回アームを介して前記ベースに回動可能に取り付けられた一対のペダルと、
回転軸と、環状外面と、前記回転軸から径方向に離間した一対の取付部とを有し、前記ベースに回転可能に連結された回転ブロックと、
各々が前記旋回アームの一方と前記回転ブロックの前記一対の取付け部の一方との間に連結された一対のコネクタと、
前記回転ブロックの前記環状外面のまわりに接触状態で配置された摩擦ベルトと、
を有し、
前記ペダルの一方を前記ベースに向かって動かすと、前記摩擦ベルトに抗して前記回転ブロックが回転し、他方のペダルが該ベースから離間する、
運動器具。
【請求項２】
前記ペダルの一方を前記ベースに向かって動かすと、前記コネクタの一方が前記回転ブロックを回転させるとともに、他のコネクタが他のペダルを前記ベースから離間させる、請求項１に記載の運動器具。
【請求項３】
前記摩擦ベルトと前記回転ブロックとの間に発生する摩擦力に抗して前記回転ブロックが回転する、請求項１に記載の運動器具。
【請求項４】
前記ベースが中央バーを有する請求項１に記載の運動器具。
【請求項５】
前記中央バーが、前記ベースの両端部に配置された一対のスタビライザバーの間に連結されている請求項４に記載の運動器具。
【請求項６】
前記中央バーが前記ベースの平面を規定する請求項４に記載の運動器具。
【請求項７】
前記回転ブロックが、前記ベースの平面に対してほぼ平行な平面内でかつ、前記ベースの平面にほぼ垂直な軸を中心として回転する請求項６に記載の運動器具。
【請求項８】
前記旋回アームの各々が、前記ベースの前記平面に対して約４５度の角度で前記ベースから外向きに延出する軸を中心として旋回する請求項６に記載の運動器具。
【請求項９】
前記旋回アームの旋回軸がほぼ同一平面内にあるとともに、約９０度の角度で隔てられている請求項８に記載の運動器具。
【請求項１０】
前記回転ブロックに固定された連結アームをさらに有し、前記コネクタが前記連結アームを介して該回転ブロックに連結されている請求項１に記載の運動器具。
【請求項１１】
前記連結アームが両端部を有し、該連結アームの該両端部が前記回転ブロックの両側から外向きに延出する請求項１０に記載の運動器具。
【請求項１２】
前記コネクタの各々が二つの両端部を持ち、前記コネクタの各々の一端部が前記旋回アームの一方に接続されるとともに、前記コネクタの各々の他端部が前記連結アームの一方の端部に接続される請求項１１に記載の運動器具。
【請求項１３】
前記摩擦ベルトに連係されていて、該摩擦ベルトと前記回転ブロックとの間の摩擦力の大きさを調整するように構成された調整機構をさらに有する請求項１に記載の運動器具。
【請求項１４】
前記摩擦ベルトが両端部を有し、前記調整機構が、該摩擦ベルトの両端部に接続されたバーと、該バーに接続されていて回転すると前記バーの直線運動を引き起こすノブとを有し、前記バーの直線運動により前記摩擦ベルトと前記回転ブロックとの間の摩擦力の大きさが変化する請求項１３に記載の運動器具。
【請求項１５】
ベースと、
一対の旋回アームを介して前記ベースに回動自在に取り付けられた一対のペダルと、
前記ベースに回転可能に連結された回転ブロックと、
前記回転ブロックに固定されるとともに両端部を有する連結アームと、
各々が前記旋回アームの一方と前記連結アームの一方の端部との間に連結された一対のコネクタと、
前記回転ブロックの周囲に配置されて該周囲と接触する摩擦ベルトと、
を有し、
前記ペダルの一方を前記ベースに向かって動かすと、前記回転ブロックが回転するとともに、他のペダルが前記ベースから離間する、
運動器具。
【請求項１６】
前記ペダルの一方を前記ベースに向かって動かすと、前記コネクタの一方が前記回転ブロックを回転させるとともに、他のコネクタが他のペダルを該ベースから離間させる、請求項１５に記載の運動器具。
【請求項１７】
前記摩擦ベルトと前記回転ブロックとの間に発生する摩擦力に抗して前記回転ブロックが回転する請求項１５に記載の運動器具。
【請求項１８】
前記ベースが、該ベースの平面を規定する中央バーを有する請求項１に記載の運動器具。
【請求項１９】
前記回転ブロックが、前記ベースの平面に対してほぼ平行な平面内で、前記ベースの平面に対してほぼ垂直な軸を中心として回転する請求項１８に記載の運動器具。
【請求項２０】
前記摩擦ベルトに連係されていて、該摩擦ベルトと前記回転ブロックとの間の摩擦力の大きさを調整するように構成された調整機構をさらに有する請求項１５に記載の運動器具。
【発明の詳細な説明】
【技術分野】
【０００１】
本発明は運動器具に関し、さらに詳しくは、ステッピングタイプの運動器具に関連する。
【背景技術】
【０００２】
従来技術としては以下の特許がある。特許文献１には、スキーの際に行われる動作に用いられる筋肉を動かすためにこのような動作を促す運動器具が教示されている。この運動器具には、垂直および水平の同時動作のために取り付けられた足支持部分を備える一対の長形足支持アームを含み、同一方向の水平動作について、垂直動作は反対の配向を持つ。ゆえに、足支持アームの足支持部分が片側または反対側へ同一水平方向に動くと、一方の足支持部分が垂直方向上向きに動き、他方が垂直方向下向きに動くため、このような移動は一般的にＸパターンを画定する。足支持アームが所望の方法で一緒に動くようにアームの動作は調整されることが望ましく、実行される運動の激しさを調整するため、アームの動作に対する抵抗は、器具の利用者によって調整自在であることが望ましい。足支持アームの足支持部分の所望の動作は、別々の回転軸を中心とする限定された回転動作のために各足支持アームを取り付けることによって達成され、各回転軸は垂直な平面の交線に沿って延在する。各回転軸の一平面は、器具中央平面に対してほぼ垂直であり、各回転軸の他の平面は相互に交差する。所望ならば、支持体に加えて上体運動を提供できる上体支持体またはハンドルが設けられてもよい。
【０００３】
特許文献２には、ステッピングタイプ運動装置の緩衝アセンブリが教示されている。運動装置は、ベース部材と回転部材とがそれぞれ取り付けられたシャフトを含む。ベース部材は第１環状面を持ち、回転部材は、間にクランプされた摩擦部材により第１環状面と嵌合する第２環状面を持つ。駆動部材が回転部材に接続されるとともに、動力伝達部材に接続されている。シャフトには調整部材が移動自在に取り付けられ、軸受がシャフトに取り付けられるとともに、調整部材と回転部材との間に配置されている。調整部材を移動させて回転部材をベース部材へと押圧することにより、回転部材とベース部材との間の摩擦が調整自在である。特許文献３も参照されたい。これらの特許は、その全体を参照によって導入する。
【０００４】
【特許文献１】米国特許第５，６６５，０３３号（Ｐａｌｍｅｒ）
【特許文献２】米国特許第６，６２６，８０６号（Ｓｔｅｖｅｎｓ）
【特許文献３】米国意匠特許第４５６，０５２号（Ｓｔｅｖｅｓ）
【発明の開示】
【発明が解決しようとする課題】
【０００５】
本発明は運動抵抗の調節が可能で構造が簡単な運動器具の提供を目的とする。
【課題を解決するための手段】
【０００６】
ベースと、一対の旋回アームを介してベースに旋回自在に取り付けられた一対のペダルと、ベースに回転自在に結合された回転ブロックと、旋回アームの一方と回転ブロックとの間に各々が接続された一対のコネクタと、回転ブロックの周囲に位置するとともに周囲と接触する摩擦ベルトとを含む運動器具が開示される。ペダルの一方をベースへ向けて動かすと、回転ブロックは回転し、他のペダルはベースから離れるように動く。
【０００７】
本発明の他の特徴と長所は、発明の原理を例として示す添付図面と関連させると、以下のより詳細な説明から明らかになるだろう。
【発明を実施するための最良の形態】
【０００８】
添付図面には、本発明が図示されている。図１は、一対の旋回アーム１６Ａ，１６Ｂを介してベース１４に回動可能に取り付けられた一対のペダル１２Ａ，１２Ｂを含む運動器具１０の一実施例を示す正面斜視図である。図１と２に示されるように、一実施例においてベース１４は、前方および後方スタビライザバー２８Ａ，２８Ｂと、これらの前方および後方スタビライザバー２８Ａ，２８Ｂの間に延在する中央バー２２とを含む。中央バー２２には、回転ブロック２０が回転自在に接続される。
【０００９】
旋回アーム１６Ａ，１６Ｂが、ペダル１２Ａ，１２Ｂの前方かつ下方に配置されている。旋回アーム１６Ａは、ベース１４から外向きに延出する軸３２Ａを中心に回転する。これら一対の旋回アーム１６Ａ，１６Ｂは、角度αでベース１４に取り付けられることが望ましい。つまり、前方スタビライザバー２８Ａは軸３３Ａを持ち、軸３２Ａと軸３３Ａとの間の角度αは、（ベース１４の中央バー２２によって規定される平面に対して）約４５度であることが望ましい。同様に、旋回アーム１６Ｂは、軸３２Ｂを中心に回転する。軸３２Ａと３２Ｂはほぼ同一平面上にあって、約９０度の角度で隔てられていることが望ましい。運動器具１０は概ねステッピング運動器具に分類され、高い携帯性（可搬性）を持つのに充分に、比較的小型でシンプルかつ軽量であると好都合である。
【００１０】
図１と２に見られるように、一対のコネクタ１８Ａ，１８Ｂによって旋回アーム１６Ａ，１６Ｂが回転ブロック２０に接続されている。一実施例において、これら一対のコネクタ１８Ａ，１８Ｂは一対のプッシュロッドであるが、当業者ならば、他のコネクタも使用できることを理解できるだろう。
【００１１】
好適な実施例において、上記一対のコネクタ１８Ａ，１８Ｂの動作範囲を拡大するため、これらコネクタの各々は、レバーアーム１７を介して旋回アーム１６Ａ，１６Ｂの一方に接続される。一対のコネクタ１８Ａ，１８Ｂの各々は、回転ブロック２０の回転軸から径方向に離間した点２５で回転ブロック２０に装着されている。本実施例において、一対のコネクタ１８Ａ，１８Ｂは、回転ブロック２０に固着された連結アーム２６に取付けられている。本実施例において連結アーム２６は、回転ブロック２０の両側から外向きに延出する二つの両端部に孔２５を含み、一対のコネクタ１８Ａ，１８Ｂの各々は孔２５の一方に嵌着されている。
【００１２】
摩擦ベルト２４が、回転ブロック２０の環状外面２１のまわりに接触して配置されている。回転ブロック２０は、摩擦ベルト２４と回転ブロック２０との間に発生する摩擦力に抗して回転する。摩擦ベルト２４は、回転ブロック２０に適正なレベルの摩擦と良好な磨耗面を付与するブレーキライナ１９を含む。
【００１３】
ペダル１２Ａ，１２Ｂはそれぞれ、使用者の足が乗るような寸法である。予想される運動器具１０の使用時には、利用者は片方の足をペダル１２Ａに、他方の足をペダル１２Ｂに置く。ペダル１２の一方を押し下げると、摩擦ベルト２４と回転ブロック２０との間に発生する摩擦力に抗して、対応するコネクタ１８が連結アーム２６を介して回転ブロック２０を回転させる。連結アーム２６の他端部に接続された他のコネクタ１８は、他のペダル１２を押し上げる。例えば、ペダル１２Ａを押し下げると、対応のコネクタ１８Ａが摩擦力に抗して連結アーム２６を介して回転ブロック２０を回転させる。連結アーム２６の他端部に接続された他のコネクタ１８Ｂは、他のペダル１２Ｂを押し上げる。運動器具１０は、少なくとも、摩擦ベルト２４と回転ブロック２０との間に発生する摩擦力に抗して押すよう、利用者の筋肉に強いることにより、利用者が肉体的健康状態を向上および維持するのに役立つ。
【００１４】
図１と２の実施例では、ベース１４は、ほぼ平面の表面上にベース１４を安定して配置するための前方スタビライザバー２８Ａと後方スタビライザバー２８Ｂとを含む。中央バー２２は、前方および後方スタビライザバー２８Ａ，２８Ｂの中央部分の間を接続する。回転ブロック２０は、中央バー２２により規定される平面に対して平行な平面において、中央バー２２により規定される平面に対して垂直な軸３０を中心として回転する。
【００１５】
利用者が、摩擦ベルト２４と回転ブロック２０との間に発生する摩擦力の大きさを調整し、これによりペダル１２Ａ，１２Ｂの動作に対する抵抗力と、ペダル１２Ａ，１２Ｂを移動させるのに利用者の側で必要とされる労力のレベルとを調整することが、調整機構３４によって可能となっている。
【００１６】
図３は、図１の調整機構３４の一部分の斜視図である。図１から３の実施例において調整機構３４は、バー３８に接続されたノブ３６を含む。ノブ３６を一方向に回すとバー３８が第１方向に直線運動し、ノブ３６を反対方向に回すとバー３８が第１方向と反対の第２方向に直線運動する。
【００１７】
図３に見られるように、一対のＬ字形バー４０Ａ，４０Ｂは、Ｌ字形バー４０Ａが軸４２Ａを中心として回転し、Ｌ字形バー４０Ｂが軸４２Ｂを中心として回転するように、一対の取付けボルト４１Ａ，４１Ｂによってベース１４に取り付けられている。これら一対のＬ字形バー４０Ａ，４０Ｂは、バー３８の端部３９と摩擦ベルト２４の端部とに回動可能に接続されている。摩擦ベルト２４の両端部は、連結ボルト４３Ａ，４３ＢによってＬ字形バー４０Ａ，４０Ｂに接続されている。したがって、バー３８の端部が回転ブロック２０に向かって直線運動すると、摩擦ベルト２４と回転ブロック２０との間の摩擦力が低下し、バー３８の端部が回転ブロック２０から離間するように直線運動すると、摩擦ベルト２４と回転ブロック２０との間の摩擦力が上昇する。
【００１８】
少なくとも一つの好適な実施例に関して本発明を説明したが、本発明がこれに限定されないことは、当業者には明白に理解されるだろう。むしろ、発明の範囲は、特許請求の範囲に関連してのみ解釈されるべきである。
【図面の簡単な説明】
【００１９】
【図１】一対の旋回アームを介してベースに旋回可能に取り付けられた一対のペダルと、抵抗調整機構とを含む運動器具の一実施例の正面斜視図である。
【図２】図１の運動器具の背面斜視図である。
【図３】図１の抵抗調整機構の一部分の斜視図である。
【符号の説明】
【００２０】
１０  運動器具
１２Ａ，１２Ｂ  ペダル
１４  ベース
１６Ａ，１６Ｂ  旋回アーム
１８Ａ，１８Ｂ  コネクタ
２０  回転ブロック
２１  環状外面
２２  中央バー
２４  摩擦ベルト
２６  連結アーム
２８Ａ  前方スタビライザバー
２８Ｂ  後方スタビライザバー
３４  抵抗調整機構
【図１】
2005279245.tif 000003
【図２】
2005279245.tif 000004
【図３】
2005279245.tif 000005